(57)【要約】【課題】治療部位にフォーカスを容易に合わせることができる眼科用レーザ治療装置を提供する。【解決手段】患者眼を治療するための眼科用レーザ治療装置であって、前記患者眼に治療用のレーザ光を照射する治療光照射手段と、前記レーザ光が照射される位置を示す照準光を照射する照準光照射手段と、前記患者眼からの前記照準光の戻り光を検出する照準検出手段と、を備えることを特徴とする。これによって、治療部位にフォーカスを容易に合わせることができる。【選択図】図３
2020141764.tif 000002
【特許請求の範囲】
【請求項１】
患者眼を治療するための眼科用レーザ治療装置であって、
前記患者眼に治療用のレーザ光を照射する治療光照射手段と、
前記レーザ光が照射される位置を示す照準光を照射する照準光照射手段と、
前記患者眼からの前記照準光の戻り光を検出する照準検出手段と、
を備えることを特徴とする眼科用レーザ治療装置。
【請求項２】
前記照準検出手段は、前記照準光の戻り光を結像させる結像光学系と、前記結像光学系によって結像された前記戻り光の像を受光する受光素子と、を備えることを特徴とする請求項１の眼科用レーザ治療装置。
【請求項３】
前記照準検出手段は、前記受光素子によって前記像の輝度分布を検出することを特徴とする請求項２の眼科用レーザ治療装置。
【請求項４】
前記制御手段は、前記受光素子によって前記像の変位を検出することを特徴とする請求項２または３の眼科用レーザ治療装置。
【請求項５】
前記照準検出手段は、波面センサを備え、前記波面センサによって前記戻り光の波面収差を検出することを特徴とする請求項１の眼科用レーザ治療装置。
【請求項６】
前記照準検出手段は、リングレンズと、前記リングレンズによって投影されたリング像を受光する受光素子と、を備えることを特徴とする請求項１の眼科用レーザ治療装置。
【請求項７】
前記照準検出手段によって取得された前記戻り光の検出結果に基づいて、前記照準光のフォーカス状態を判定する制御手段をさらに備えることを特徴とする請求項１〜６のいずれかの眼科用レーザ治療装置。
【請求項８】
治療光照射の適否を術者に報知する報知手段をさらに備え、
前記制御手段は、前記フォーカス状態の判定結果に基づいて、前記報知手段を制御することを特徴とする請求項７の眼科用レーザ治療装置。
【請求項９】
前記治療光のフォーカス状態を調整するフォーカス調整手段をさらに備え、
前記制御手段は、前記フォーカス状態の判定結果に基づいて、治療光照射に適した状態となるように前記フォーカス調整手段を制御することを特徴とする請求項７または８の眼科用レーザ治療装置。
【発明の詳細な説明】
【技術分野】
【０００１】
本開示は、レーザ光を照射することによって患者眼を治療する眼科用レーザ治療装置に関する。
【背景技術】
【０００２】
患者眼にレーザ光を照射し、患者眼の治療を行うための眼科用レーザ治療装置が知られている（特許文献１参照）。
【先行技術文献】
【特許文献】
【０００３】
【特許文献１】特開２０１５−００６４０２号公報
【発明の概要】
【発明が解決しようとする課題】
【０００４】
しかしながら、従来のレーザ治療装置では、スリットランプまたは観察画像などで治療部位および照準光を目視することでレーザのフォーカス具合を判断しており、治療部位にフォーカスを合わせるには習熟が必要であった。フォーカスが合っていない状態で照射すると、光が拡がるため、治療の必要な領域だけを適度に凝固することができず、期待した治療効果が得られなくなる。
【０００５】
本開示は、従来技術の問題点に鑑み、治療部位にフォーカスを容易に合わせることができる眼科用レーザ治療装置を提供することを技術課題とする。
【課題を解決するための手段】
【０００６】
上記課題を解決するために、本開示は以下のような構成を備えることを特徴とする。
【０００７】
患者眼を治療するための眼科用レーザ治療装置であって、前記患者眼に治療用のレーザ光を照射する治療光照射手段と、前記レーザ光が照射される位置を示す照準光を照射する照準光照射手段と、前記患者眼からの前記照準光の戻り光を検出する照準検出手段と、を備えることを特徴とする。
【発明の効果】
【０００８】
本開示によれば、治療部位にフォーカスを容易に合わせることができる。
【図面の簡単な説明】
【０００９】
【図１】眼科用レーザ治療装置の概略構成図である。
【図２】観察画像に写る照準光を示す図である。
【図３】受光素子によって検出した照準光を示す図である。
【図４】変容例を示す図である。
【図５】眼底上での照準光の状態を示す図である。
【図６】受光素子によって検出した照準光を示す図である。
【図７】変容例を示す図である。
【図８】波面センサの検出状態を示す図である。
【発明を実施するための形態】
【００１０】
＜実施形態＞
以下、図面に基づいて、本開示の実施形態を説明する。本実施形態の眼科用レーザ治療装置（例えば、眼科用レーザ治療装置１）は、患者眼を治療する。眼科用レーザ治療装置は、例えば、治療光照射部（例えば、照射光学系１０）と、照準光照射部（例えば、照射光学系１０）と、照準検出部（例えば、検出光学系３０）を主に備える。治療光照射部は、患者眼に治療用のレーザ光を照射する。照準光照射部は、レーザ光が照射される位置を示す照準光を照射する。照準検出部は、患者眼からの照準光の戻り光を検出する。本実施形態の眼科用レーザ治療装置は、上記のような構成を備えることによって、治療部位に照準光（すなわちレーザ光）のフォーカスが合うか否かを容易に判断できる。また、フォーカスを容易に合わせられることで安定したレーザ光の照射を行える。また、術者は、機械的・客観的な指標でフォーカスの良否を判断できるため、術中の負担が軽減される。
【００１１】
なお、照準検出部は、結像光学系（例えば、結像レンズ３１）と、受光素子（例えば、受光素子３２）を備えてもよい。結像光学系は、照準光の戻り光を結像させる。受光素子は、結像光学系によって結像された戻り光の像を受光する。
【００１２】
なお、照準検出部は、受光素子によって像の輝度分布を検出してもよい。例えば、照準検出は、像の輝度または像の広がりを検出してもよい。
【００１３】
なお、照準検出部は、受光素子によって像の変位を検出してもよい。例えば、照準光を瞳中心に対して偏心させて入射させた場合、フォーカス状態によって戻り光の像の位置が変位する。したがって、照準検出部は、適正なフォーカス状態における像の基準位置からの変位量または変位方向などを検出してもよい。
【００１４】
照準検出部は、波面センサ（例えば、波面センサ３３）を備えてもよい。この場合、照準検出部は、波面センサによって照準光の戻り光の波面収差を検出してもよい。波面センサは、例えば、シャックハルトマンセンサなどであってもよい。
【００１５】
なお、照準検出部は、リングレンズと、リングレンズによって投影されたリング像を受光する受光素子と、を備えてもよい。この場合、照準検出部は、リング像の大きさまたは細さなどを検出してもよい。
【００１６】
なお、本装置は、制御部（例えば、制御部６０）を備えてもよい。例えば、制御部は、照準検出部によって取得された戻り光の検出結果に基づいて、照準光のフォーカス状態を判定する。
【００１７】
なお、本装置は、報知部（例えば、表示部６３）を備えてもよい。報知部は、治療光照射の適否を術者に報知する。この場合、制御部は、フォーカス状態の判定結果に基づいて報知部を制御してもよい。報知部は、例えば、表示部、スピーカー、またはランプなどであってもよい。
【００１８】
治療光のフォーカス状態を調整するフォーカス調整部（例えば、フォーカス調整部２０）をさらに備えてもよい。この場合、制御部は、フォーカス状態の判定結果に基づいて、治療光照射に適した状態となるようにフォーカス調整部を制御してもよい。フォーカス調整部は、例えば、治療光照射部または照準光照射部の一部または全部を光軸方向に移動させることによって、治療光または照準光のフォーカス状態を調整する。
【００１９】
なお、本装置は、観察光学系（例えば、観察光学系４０）を備えてもよい。観察光学系は、例えば、患者眼を観察する。観察光学系は、例えば、撮影光源（例えば、撮影光源４１）と、撮像素子（例えば、撮像素子４７）を備えてもよい。撮影光源は、例えば、治療光および照準光とは異なる波長の撮影光を出射する。撮像素子は、患者眼の観察画像を撮影する。撮像素子は、例えば、治療光および照準光とは異なる波長の光を受光する。
【００２０】
なお、照準検出部は、例えば、治療光照射部または照準光照射部の光学系から分岐された光路に設けられてもよい。例えば、照準検出部は、観察光学系とは別の光路に設けられてもよい。例えば、照準検出部は、撮影光と治療光（または照準光）を波長に基づいて分離する波長分離部（例えば、ダイクロイックミラー５１）よりも上流側（光源側）に設けられてもよい。また、照準検出部は、治療光または照準光を偏向する偏向部（例えば、偏向部１７）よりも上流側に設けられてもよい。また、照準検出部は、治療光照射部または照準光照射部の一部の光学系とともにフォーカス調整部によって光軸方向に移動される位置に設けられてもよい。また、照準検出部は、例えば、観察光学系の撮像素子とは別の受光素子を備えてもよい。
【００２１】
＜実施例＞
以下、本開示に係る眼科用レーザ治療装置１を図面に基づいて説明する。眼科用レーザ治療装置１は、例えば、照射光学系１０と、検出光学系３０と、観察光学系４０と、制御部６０を主に備える（図１参照）。照射光学系１０は、治療用レーザ光および照準光（エイミング光）を患者眼Ｅに照射する。検出光学系３０は、患者眼Ｅの眼底Ｅｒで反射した照準光の戻り光を検出する。観察光学系４０は、患者眼の眼底を観察する。制御部６０は、眼科用レーザ治療装置１を制御する。
【００２２】
＜照射光学系＞
照射光学系１０は、例えば、治療用レーザ光を発振し、レーザ光を患者眼Ｅに照射する。照射光学系１０は、例えば、レーザ光源１１、レンズ１２、レンズ１５、レンズ１６、偏向部１7、対物レンズ１８、フォーカス調整部２０などを備える。
【００２３】
レーザ光源１１は、治療用レーザ光を出射する。また、本実施例のレーザ光源１１は、照準光源を兼ねる。例えば、レーザ光源１１は、可視の照準光を出射する。照準光は、眼底に照射される治療用レーザ光の照射状態（例えば、治療用レーザ光のスポットの大きさ、およびフォーカス等）を示す（図２参照）。もちろん、レーザ光源と照準光源は別々に設けられてもよい。レンズ１２は、レーザ光源１１からのレーザ光または照準光を平行光束とする。レンズ１５は、レーザ光または照準光を一旦結像させる。レンズ１６は、レンズ１５によって結像されたレーザ光または照準光を平行光束として偏向部１7に導光する。偏向部１7は、患者眼の眼底上でレーザ光または照準光を走査させる。偏向部１7は、例えば、ガルバノミラーなどである。偏向部１7は、例えば、Ｘ軸走査用のガルバノミラーと、Ｙ軸走査用のガルバノミラーを備え、レーザ光または照準光を眼底上で２次元的に走査させる。対物レンズ１８は、偏向部１7によって偏向されたレーザ光または照射光を患者眼に照射する。
【００２４】
レーザ光源１１からのレーザ光または照準光は、レンズ１２およびビームスプリッタ５０を透過し、レンズ１５およびレンズ１６を介して、偏向部１7およびダイクロイックミラー５１で反射され、対物レンズ１８を介して眼底Ｅｒに集光される。このとき、偏向部１7によって眼底上におけるレーザ光または照準光の照射位置が変更される。
【００２５】
フォーカス調整部２０は、患者眼の組織（本実施例では眼底）における治療用レーザ光および照準光のフォーカスを調整する。フォーカス調整部２０は、例えば、駆動部２１を備える。駆動部２１は、例えば、照射光学系１０の一部または全部を光軸方向に移動させる。例えば、フォーカス調整部２０は、レーザ光源１１からレンズ１５までの光学系（図１の点線枠内）を駆動部２１によって光軸方向に一体的に移動させることで、レーザ光および照準光のフォーカスを調整する。なお、レーザ光源と照準光源が別々に設けられる場合、レーザ光のフォーカス位置とエイミング光のフォーカス位置は、Ｚ方向に関して異なっていてもよい。
【００２６】
＜検出光学系＞
検出光学系３０は、結像レンズ３１と、受光素子３２を備える。結像レンズ３１は、照準光が眼底Ｅｒで反射されたときの戻り光を結像させる。受光素子３２は、結像レンズ３１によって結像された戻り光の像を受光する。受光素子３２は、照準光の受光信号を制御部６０へ出力する。検出光学系３０は、照射光学系１０の光路から分岐される。例えば、レンズ１２とレンズ１５との間に配置されたビームスプリッタ５０の反射方向に検出光学系３０が設けられる。したがって、眼底Ｅｒに照射された照準光の戻り光は、対物レンズ１８を介して、ダイクロイックミラー５１および偏向部１7で反射され、レンズ１６およびレンズ１５を通過してビームスプリッタ５０で反射される。そして、ビームスプリッタ５０で反射された戻り光は、結像レンズ３１によって結像され、受光素子３２によって受光される。
【００２７】
＜観察光学系＞
観察光学系４０は、例えば、被検眼の観察画像を撮影する。観察光学系４０は、例えば、撮影光源４１と、コンデンサーレンズ４１ａと、スリット板４２と、レンズ４３と、走査部４４と、対物レンズ１８と、光路分岐部４５と、レンズ４６と、撮像素子４７を備える。撮影光源４１は、組織の画像を撮影するための光（以下、「撮影光」という）を出射する。撮影光源４１には、例えば、レーザ光源、ＳＬＤ（スーパー・ルミネッセント・ダイオード）光源、ＬＥＤ等の少なくともいずれかを用いることができる。撮影光源４１には、点状の光源が用いられてもよい。コンデンサーレンズ４１ａは、撮影光源４１から出射された撮影光をスリット板４２上へ集める。本実施例の撮影光源４１は、患者眼Ｅの組織（本実施例では瞳孔）と共役な位置に配置される。撮影光源４１は、赤外光または可視光の少なくともいずれかを出射する光源であってもよい。赤外光を出射する光源を用いる場合、無散瞳状態での撮影が容易に行われる。白色光を出射する光源を用いる場合、カラー撮影が容易に行われる。
【００２８】
スリット板４２は、撮影光源４１から出射された撮影光の一部を遮蔽することで、撮影光をスリット状光束に変換する。つまり、スリット板４２は、撮影光をスリット状光束に変換する光束変換素子として機能する。スリット板４２は、例えば、眼底共役位置上に配置される。本実施例のスリット板４２は、走査部４４によるスリット状光束の走査方向に交差（本実施例では直交）する方向に延びるスリットを有し、走査方向にはスリット幅を有する。スリット板４２からの光は、レンズ４３および光路分岐部４５を通過して、走査部４４へ入射される。
【００２９】
なお、スリット板４２以外の光学素子を光束変換素子として採用することも可能である。例えば、光束変換素子として、撮影光源４１と眼底共役位置との間に配置されたシリンドリカルレンズを採用し、眼底共役位置において撮影光をライン状に集光させてもよい。その結果、眼底Ｅｒ上において撮影光がライン状に成形される。
【００３０】
レンズ４３は、撮影光源４１から出射された撮影光を、対物レンズ１８の前側焦点位置にて一旦結像させる。レンズ４３は、１つのレンズによって構成されていてもよいし、一群のレンズによって構成されていてもよい。
【００３１】
対物レンズ１８は、走査部４４から入射する撮影光を患者眼Ｅの眼底Ｅｒに導光する。また、対物レンズ１８は、患者眼Ｅの眼底Ｅｒによって反射された撮影光の戻り光を、走査部４４に戻す。対物レンズ１８は、１つのレンズによって構成されていてもよいし、一群のレンズによって構成されていてもよい。本実施例では、対物レンズ１８によって、走査部４４は患者眼Ｅの瞳孔と共役な位置に配置されている。対物レンズ１８は、撮影光の光路のうち、走査部４４よりも下流側（詳細には、ダイクロイックミラー５１よりも下流側）、且つ患者眼Ｅよりも上流側に配置されている。なお、対物レンズ１８は照射光学系１０と兼用される。
【００３２】
走査部４４は、患者眼に投光される撮影光を眼底上で走査させる。本実施例の走査部４４は、撮影光のスリット状光束を、スリット方向に交差（本実施例では直交）する方向に走査させる。走査方向は、例えば、鉛直方向であってもよいし、水平方向であってもよい。走査部４４を構成する素子には、反射ミラー（例えば、ガルバノミラー、ポリゴンミラー、またはレゾナントスキャナ）、または、光の進行方向を変化させる音響光学素子等の少なくともいずれかを用いることができる。また、走査部４４は、複数の素子（例えば、撮影光をＸ方向に走査する素子と、撮影光をＹ方向に走査する素子）を備えていてもよい。
【００３３】
レンズ４３と対物レンズ１８との間の光路上には、光路分岐部４５が設けられている。光路分岐部４５は、撮影光源４１から出射されて眼底に投光される撮影光（本実施例ではスリット状光束）を通過（または透過）させる。また、光路分岐部４５は、眼底Ｅｒによって反射された撮影光の戻り光を反射させて、レンズ４６に導光する。光路分岐部４５は、穴あきミラー、ハーフミラー等の種々のビームスプリッタのうち、いずれかであってもよい。
【００３４】
レンズ４６は、患者眼Ｅの眼底によって反射された撮影光の戻り光を、撮像素子４７上で結像させる。撮像素子４７は、眼底によって反射された撮影光の戻り光を受光し、撮像信号を出力する。撮像素子４７は、患者眼Ｅの眼底と共役な位置に配置されている。本実施例の撮像素子４７には、スリット状の反射光を受光する二次元撮像素子が用いられている。
【００３５】
撮影光源４１から出射された撮影光は、スリット板４２、レンズ４３、光路分岐部４５を通過し、走査部４４によって偏向された後、対物レンズ１８を介して患者眼Ｅへ照射される。対物レンズ１８は、前眼部に形成される射出瞳を介して、撮影光を眼底Ｅｒへ導く。走査部４４の駆動に応じて、撮影光は射出瞳の位置で旋回される。撮影光は、眼底Ｅｒで反射又は散乱される。その結果として、眼底Ｅｒからの戻り光（散乱・反射光）が、瞳孔から平行光として出射される。眼底Ｅｒからの戻り光は、対物レンズ１８、走査部４４、光路分岐部４５、レンズ４６を介して撮像素子４７に受光される。
【００３６】
＜制御部＞
制御部６０は、眼科用レーザ治療装置１における各種制御処理を行う。制御部６０は、制御を司るコントローラであるＣＰＵ６１と、プログラムおよびデータ等を記憶することが可能な記憶部６２を備える。記憶部６２には、患者眼Ｅへのレーザ光照射を実行するためのレーザ治療プログラム等が記憶されている。なお、制御部６０およびコントローラの数は１つに限定されない。制御部６０には、表示部６３と、操作部６４が接続される。表示部６３は、観察光学系４０によって撮影された観察画像１００などが表示される。操作部６４は、術者の操作を受け付け、制御部６０へ操作信号を出力する。
【００３７】
＜フォーカス検出＞
続いて、フォーカス検出時の動作について説明する。制御部６０は、眼底Ｅｒで反射された照準光の戻り光の検出結果を検出光学系３０から取得し、その検出結果に基づいて照準光のフォーカス状態を判定する。なお、本実施例の場合、照準光とレーザ光は共通光路で被検眼に照射されるため、照準光のフォーカス状態を判定することは、治療用レーザ光のフォーカス状態を判定することと同じである。
【００３８】
例えば、制御部６０は、受光素子３２によって取得された戻り光の像Ｑの輝度分布などによって照準光のフォーカス状態を判定する。例えば、受光素子３２がＣＣＤなどの２次元センサである場合、制御部６０は、画像２００における戻り光の像Ｑのボケ具合（輝度の大きさ、または像の広がり）で照準光のフォーカス状態を判定する。例えば、図３（ａ）のように適正なフォーカス状態における像Ｑに比べ、図３（ｂ）のようにフォーカスのずれた状態における像Ｑは輝度が低下し、像Ｑが広がる。したがって、制御部６０は、例えば、記憶部６２等に記憶された適正なフォーカス状態における像Ｑの輝度または広がりに対して、検出された像Ｑの輝度が低い、または広がりが大きい場合、フォーカス状態が適正でないと判定する。例えば、制御部６０は、フォーカス状態が適正であるか否かの判定結果を表示部６３に表示させてもよい。
【００３９】
＜レーザ治療時の動作＞
以上のような眼科用レーザ治療装置１を用いてレーザ治療を行うときの動作を説明する。まず、制御部６０は、図示無き駆動部によって患者眼Ｅに対する照射光学系１０の位置関係を調整（アライメント）する。次いで、制御部６０は、照射光学系１０によって患者眼Ｅに照準光を照射する。制御部６０は、観察光学系４０によって撮影された観察画像１００を表示部６３に表示させる。術者は、表示部６３に表示された観察画像１００の照準光Ｇ（図２参照）を確認しながら操作部６４を操作する。制御部６０は、術者の操作に応じて偏向部１7を制御し、照準光Ｇの位置（照射位置）を移動させる。術者によって観察画像１００に基づいて照射位置が決定されると、制御部６０はフォーカス調整を行う。例えば、制御部６０は、検出光学系３０によって検出されたフォーカス状態が適正となるまで、フォーカス調整部２０を駆動させる。例えば、制御部６０は、フォーカス調整部２０を前後に移動させ、受光素子３２によって検出された戻り光の像Ｑの輝度が高く、または像Ｑの広がりが小さくなる方向に移動させる。フォーカス調整が完了すると、術者は、操作部６４を操作し、治療光の照射を開始させる。制御部６０は、設定された眼底上の照射位置に対して治療光を照射する。なお、眼底上の照射位置によってレーザ光のフォーカス状態が異なる可能性があるため、制御部６０は照射位置ごとにフォーカスを調整してもよい。
【００４０】
以上のように、本実施例の眼科用レーザ治療装置１は、検出光学系３０によって眼底Ｅｒに投影された照準光のフォーカス状態を取得することで、治療部位にレーザ光のフォーカスが合っているかを判定することができる。これによって、術者は、客観的な指標でレーザ光のフォーカス状態を判断できるため、容易にフォーカスを合わすことができ、安定した治療を行うことができる。また、術中における術者の負担が軽減される。
【００４１】
また、本実施例の検出光学系３０は、観察光学系４０ではなく、照射光学系１０の光路から分岐される。これによって、観察光学系４０のフォーカス状態に影響されずに、照準光のフォーカス状態を検出することができる。また、照射光学系１０は、照準光（レーザ光）の波長に合わせて設計された光学系であるため、検出光学系３０が観察光学系４０に設けられる場合よりも収差などの影響を受けにくく、精度よく照準光のフォーカス状態を検出できる。また、観察画像を撮影する撮像素子４７とは異なる受光素子３２を設けることによって、照準光の波長だけを取り出して受光させることができるため、観察画像と照準光の像が重なって照準光を検出しづらくなることが抑制される。また、検出光学系３０（照準光の像）の倍率と、観察光学系４０（観察画像）の倍率を、互いに異なる倍率にすることができるため、観察画像の倍率に制限されることなく、照準光の像が検出し易い倍率にすることができる。
【００４２】
＜第２実施例＞
続いて、第２実施例を図４〜６に基づいて説明する。第２実施例の眼科用レーザ治療装置２は、照準光または戻り光の光路が、第１実施例と異なる。その他の構成は、第１実施例と同様のため、同一番号を付して説明は省略する。眼科用レーザ治療装置２は、照準光または戻り光の光路の片方または両方の光路を患者眼Ｅの瞳中心からオフセット（偏心）させる。例えば、図４に示すように、照準光の光路Ｋは瞳中心からオフセットされ、患者眼Ｅに対して斜め方向から光束が入射されるように設定されている。
【００４３】
この場合、フォーカスが変化すると検出光学系３０で撮影される像Ｑが平行移動する。例えば、図５（ａ）に示すように、照準光束Ｋ１の集光位置に眼底Ｅｒが位置し、フォーカス状態が適正な場合、図６（ａ）に示すように、像Ｑはボケのない状態となる。図５（ｂ）に示すように、適正なフォーカス状態に対して眼底Ｅｒが近くにある場合、像Ｑは図６（ｂ）に示すようにボケた状態となり、さらに受光素子３２上での位置が変化する。また、図５（ｃ）に示すように、適正なフォーカス状態に対して眼底Ｅｒが遠くにある場合、像Ｑは図６（ｃ）に示すようにボケた状態となり、さらに受光素子３２上での位置が変化する。したがって、予めフォーカスが合った状態での像Ｑの位置を求めておけば、制御部６０は、像Ｑの変位からフォーカスずれを検出できる。
【００４４】
また、例えば、フォーカスが前方にずれているとき（図５（ｂ））と、後方にずれているとき（図５（ｃ））とで、像Ｑの変位方向は予め決まっており、互いに反対方向に変位する。例えば、図６の例では、フォーカスが前方にずれているときは像Ｑが上方向にずれ、フォーカスが後方にずれているときは像Ｑが下方向にずれる。このように、制御部６０は、像Ｑの変位方向からフォーカスずれの方向を検出することができる。したがって、制御部６０は、フォーカス調整すべき方向を術者に提示することができる。また、制御部６０は、フォーカス調整すべき方向に基づいてフォーカス調整部２０を制御し、自動的にフォーカスを調整してもよい。なお、第２実施例の場合、像の一次元的な変位のみを検出すればよいため、受光素子３２としてＰＳＤなどの簡素なものを使用できる。
【００４５】
＜第３実施例＞
次に、第３実施例を図７〜８に基づいて説明する。第３実施例の眼科用レーザ治療装置３は、検出光学系３０の構成が、第１実施例と異なる。その他の構成は、第１実施例と同様のため、同一番号を付して説明は省略する。第３実施例の検出光学系３０は、図７に示すように、波面センサ３３を備える。波面センサ３３は、例えば、マイクロレンズアレイ３３ａと、受光素子３３ｂによって構成される。眼科用レーザ治療装置３は、波面センサ３３を用いて瞳共役面で戻り光の波面を測定することによってフォーカスずれの量と方向を調べる。例えば、フォーカスが適正な場合、図８（ａ）に示すように、波面センサ３３によって受光される点像３０１の位置は、基準の位置となる。フォーカスが離れている場合、図８（ｂ）に示すように、点像３０１の位置は、基準の位置よりも外側に偏心する。フォーカスが近い場合、図８（ｃ）に示すように、点像３０１の位置は、基準の位置よりも内側に偏心する。このように、制御部６０は、波面センサ３３によって取得された点像３０１の位置によって照準光のフォーカス状態を判定する。これによって、眼科用レーザ治療装置３は、第１実施例のような単純な結像光学系を用いる場合に比べてフォーカスずれをより精度良く検出できる。
【００４６】
なお、波面センサ３３は、マイクロレンズアレイ３３ａの代わりにリングレンズを用いてもよい。リングレンズは、照準光の戻り光をリング状にして受光素子３３ｂに投影させる。この場合、制御部６０は、受光素子３３ｂによって検出されたリング像の大きさまたは細さなどでフォーカス状態を判定してもよい。
【００４７】
なお、以上の実施例において、制御部６０が自動でフォーカスを調整するものとして説明したが、これに限らない。例えば、制御部６０によってフォーカス状態の適否が表示部６３等に表示されており、術者が、フォーカス状態の適否を確認しながら操作部６４を操作することによってフォーカスを手動で調整してもよい。
【符号の説明】
【００４８】
１        眼科用レーザ治療装置
２        眼科用レーザ治療装置
３        眼科用レーザ治療装置
１０      照射光学系
１１      レーザ光源
１７      偏向部
１８      対物レンズ
２０      フォーカス調整部
３０      検出光学系
４０      観察光学系
６０      制御部
【図１】
2020141764.tif 000003
【図２】
2020141764.tif 000004
【図３】
2020141764.tif 000005
【図４】
2020141764.tif 000006
【図５】
2020141764.tif 000007
【図６】
2020141764.tif 000008
【図７】
2020141764.tif 000009
【図８】
2020141764.tif 000010